(57)【要約】      （修正有）【課題】放熱／冷却効果の高い携帯式脱毛装置を提供する。【解決手段】携帯式脱毛装置は、ケースと、ケースの内部に設けられる脱毛構造２２および放熱構造２１とを含む。ケース上には少なくとも２つの出口と１つの入口が形成され、ケースの入口から外部冷却媒体（空気）を吸入する。放熱構造は熱伝導モジュール２１２を含む。脱毛構造は冷却部品と光線出射部を含み、冷却部品と光線出射部は、熱伝導モジュールにより密閉される２つの通路にそれぞれ設けられ、第一通路と第二通路を形成する。第一通路と第二通路は２つの出口とそれぞれ連通し、１つの出口により第一通路または第二通路はケースの一端から他端にケースを貫通する。完全に隔離される熱伝導モジュールの案内により空気は熱交換をした後所定の出口から排出され、冷却部品に対して放熱をする。【選択図】図４
0003226132.tif 000002
【実用新案登録請求の範囲】
【請求項１】
携帯式脱毛装置であって、その携帯式脱毛装置は、ケースと、前記ケースの内部に設けられる脱毛構造および放熱構造とを含み、
前記ケース上には少なくとも２つの出口と１つの入口が形成され、
前記放熱構造は熱伝導モジュールを含み、
前記入口と異なる前記出口が連通することにより少なくとも２つの通路が形成され、前記通路内には発熱部品がそれぞれ設けられ、入口から送入される外部冷却媒体は前記熱伝導モジュールの案内により所定の通路を通過した後所定の出口から排出され、それにより外部冷却媒体は外部冷却媒体が通過する領域の熱を前記ケースの外部に排出させることを特徴とする携帯式脱毛装置。
【請求項２】
前記ケース上の前記出口の数は２つであり、１つは第一出口であり、他の１つは第二出口であり、前記熱伝導モジュールの外表面には第二ラジエーターが形成され、前記熱伝導モジュール上には第一通風口と第二通風口が形成され、
前記入口、前記第一通風口および前記第一出口が順に連通することにより第一通路が形成され、
前記入口、前記第二通風口および前記第二出口が順に連通することにより第二通路が形成されることを特徴とする請求項１に記載の携帯式脱毛装置。
【請求項３】
前記外部冷却媒体は空気であり、前記ケースの内部にはファンが設けられ、前記ファンは空気入口の一側が前記ケース上の前記入口に向くように設けられることにより前記ケースの内部に前記空気を吸入し、
前記脱毛構造は冷却部品と光線出射部を含み、前記冷却部品は前記第一通路が形成される領域に位置し、前記光線出射部は前記第二通路が形成される領域に位置することを特徴とする請求項２に記載の携帯式脱毛装置。
【請求項４】
前記放熱構造は熱伝導部品を更に含み、前記熱伝導部品の一部分は前記ファンの空気入口と前記空気を吸入するケース上の前記入口との間に位置し、その一部分は前記冷却部品の位置まで延伸し、その部分には第一ラジエーターが形成されることを特徴とする請求項３に記載の携帯式脱毛装置。
【請求項５】
前記第二出口は前記入口の一側に形成され、各第二出口は熱伝導部品の一端に近い前記ケースの側面に形成され、前記第一出口は熱伝導部品の一端から離れている前記ケースの尾部に形成されることにより、前記第一通路の空気はケースの内部の全領域を通過し、ケースの内部の熱を排出させることができ、前記入口の空気の流入方向と前記第二出口の空気の流出方向は平行であり、前記入口の空気の流入方向と前記第一出口の空気の流出方向は垂直であることを特徴とする請求項４に記載の携帯式脱毛装置。
【請求項６】
前記脱毛構造は冷却部を更に含み、前記ケースは把持部と頭部を含み、前記頭部には当該頭部を貫通する開口が形成され、前記冷却部の一部分は前記開口を貫通するとともに前記ケースの表面から露出することによりユーザーの皮膚と接触することを特徴とする請求項５に記載の携帯式脱毛装置。
【請求項７】
前記冷却部は結晶材質であり、前記光線出射部は前記開口の内部に設けられるとともにユーザーの皮膚から離れている前記冷却部の一側に取り付けられ、光線出射部の光線は冷却部を経てユーザーの皮膚に照射されることを特徴とする請求項６に記載の携帯式脱毛装置。
【請求項８】
前記携帯式脱毛装置は電気回路装置と電源装置を更に含み、前記電気回路装置と電源装置は前記ケースの内部に位置するとともに前記第二通路が形成される領域に位置し、前記電気回路装置と電源装置はいずれも前記冷却部品に電気接続され、前記冷却部品は半導体冷却部品であり、前記冷却部品は対向する冷却面と加熱面を含み、前記冷却部品の前記冷却面は前記冷却部に密着することにより前記冷却部を冷却させ、前記冷却部品の前記加熱面は前記熱伝導部品に連結されることにより熱を発散させるとともに冷却部を冷却させることを特徴とする請求項６に記載の携帯式脱毛装置。
【請求項９】
前記携帯式脱毛装置は皮膚検出部を更に含み、前記皮膚検出部は前記電気回路装置に電気接続されることを特徴とする請求項８に記載の携帯式脱毛装置。
【請求項１０】
前記ケース上には第三出口が更に形成され、前記第三出口と前記ケース内の収納部は連通していることを特徴とする請求項１に記載の携帯式脱毛装置。
【請求項１１】
前記第三出口は前記ケースの側面または第二出口から離れているケースの一面に形成されることを特徴とする請求項１０に記載の携帯式脱毛装置。
【請求項１２】
前記ケースは上部ケースと下部ケースを含み、前記上部ケースと前記下部ケースには第一凹部と第二凹部がそれぞれ形成され、前記第一凹部と第二凹部との間にはケースの内部と連通している排気構造が形成され、上部ケースと下部ケースを結合させるとき、第一凹部と第二凹部との間には隙間が形成され、前記排気構造が前記隙間に取り付けられることによりケースの内部の中空部と外部は連通し、第三出口が形成されることを特徴とする請求項１１に記載の携帯式脱毛装置。
【請求項１３】
前記熱伝導モジュールの第二ラジエーターが形成されている位置には第三通風口が形成され、前記第三通風口は前記第二ラジエーターの伝導の方向に向き、かつ前記第三通風口は第一通風口と連通していることを特徴とする請求項２に記載の携帯式脱毛装置。
【考案の詳細な説明】
【技術分野】
【０００１】
この考案は、脱毛美容技術に関し、具体的には、携帯式脱毛装置に関する。
【背景技術】
【０００２】
光線脱毛技術は、非侵襲的な脱毛技術であり、安全であり、迅速であり、体の余分な毛髪を永遠に除去ことができる技術である。光線脱毛は所定の光線を選択して使用する原理により、所定の波長の光線を表皮（epidermis）に透過させ、表皮の毛包（hair  follicle）の損傷を防止することができる。毛幹（hair  shaft）中のメラニン（melanin）が所定の光線エネルギーを吸収することにより、毛包が加熱され凝固壊死するので、毛髪の成長を効率的に抑制し、脱毛の効果を得ることができる。
【０００３】
周知のように、光線を使用するとき大量の熱が発生することにより、ユーザーの皮膚に灼熱感と痛感を与えるおそれがある。特に、携帯の利便性を向上させるため家庭用携帯式脱毛装置は小さく設けられているので、熱の蓄積が形成されやすい。このとき、時間内に放熱して冷却できなければ、ユーザーの皮膚に痛感を与えるか或いは安全の問題が起こるおそれがある。
【０００４】
従来技術において、携帯式脱毛装置で脱毛をするとき冷却の効果を向上させるため、放熱構造内に密閉部品が設けられている。密閉部品上の開口は外部と連通し、かつラジエーターが形成されることにより発熱部品を冷却させる放熱通路が形成される。それにより放熱をするとき放熱通路で熱を排出させることにより冷却の効果を向上させることができる。
【０００５】
携帯式脱毛装置の内部には複数個の発熱部品が設けられ、その内部の回路と他の部品によっても熱が発生するので、同一の手段によりすべての発熱部品を冷却させ、冷却の効果を増加させかつ最大の放熱の効果を得ることが、現在、解決しなければならない問題である。
【考案の概要】
【考案が解決しようとする課題】
【０００６】
従来の携帯式脱毛装置の放熱が不充分である問題を解決するため、この考案は下記携帯式脱毛装置を提供する。
【課題を解決するための手段】
【０００７】
前記技術的課題を解決するため、この考案において下記技術的解決策を提供する。この考案の携帯式脱毛装置は、ケースと、ケースの内部に設けられる脱毛構造および放熱構造とを含む。ケース上には少なくとも２つの出口と１つの入口が形成されている。放熱構造は熱伝導モジュールを含む。入口と異なる出口が連通することにより少なくとも２つの通路が形成され、通路内には発熱部品がそれぞれ設けられる。入口から送入される外部冷却媒体は熱伝導モジュールの案内により所定の通路を通過した後所定の出口から排出される。それにより外部冷却媒体は外部冷却媒体が通過する領域の熱をケースの外部に排出させる。
【０００８】
携帯式脱毛装置であって、その携帯式脱毛装置は発光体と前記携帯式脱毛装置を含む。
【図面の簡単な説明】
【０００９】
【図１】この考案の第一実施例の携帯式脱毛装置を示す構造図である。
【図２】この考案の第一実施例の携帯式脱毛装置を示す分解図である。
【図３】この考案の第一実施例の携帯式脱毛装置の脱毛デバイスの第一部分を示す分解図である。
【図４】この考案の第一実施例の携帯式脱毛装置の脱毛デバイスの第二部分を示す分解図である。
【図５】この考案の第一実施例の携帯式脱毛装置のファンの第一部分を示す分解図である。
【図６】この考案の第一実施例の携帯式脱毛装置の熱伝導モジュールを示す分解図である。
【図７】この考案の第一実施例の携帯式脱毛装置の脱毛構造の第一部分を示す分解図である。
【図８】この考案の第一実施例の携帯式脱毛装置の脱毛デバイスの第三部分を示す分解図である。
【図９】この考案の第一実施例の携帯式脱毛装置の脱毛構造の第二部分を示す分解図である。
【図１０】この考案の第一実施例の携帯式脱毛装置の脱毛構造を示す断面図である。
【図１１】この考案の第一実施例の携帯式脱毛装置の脱毛デバイスの第四部分を示す分解図である。
【図１２】この考案の第一実施例の携帯式脱毛装置の脱毛デバイスを示す組立図である。
【図１３】この考案の第一実施例の携帯式脱毛装置の脱毛デバイスを示す断面図である。
【図１４】この考案の第一実施例の携帯式脱毛装置の一部分が省略されることを示す図である。
【図１５】この考案の第一実施例の携帯式脱毛装置の一部分を示す分解図である。
【図１６】この考案の第二実施例の携帯式脱毛装置を示す構造図である。
【図１７】この考案の第二実施例の携帯式脱毛装置の一部分の構造を示す分解図である。
【図１８】この考案の第二実施例の携帯式脱毛装置の熱伝導モジュールを示す分解図である。
【図１９】この考案の第二実施例の携帯式脱毛装置の脱毛デバイスを示す構造図である。
【考案を実施するための形態】
【００１０】
この考案の目的、技術的解決策および考案の効果をより詳細に理解してもらうため、以下、図面と実施例によりこの考案をより詳細に説明する。なお、下記具体的な実施例はこの考案を説明するものであるが、この考案を限定するものでない。
【００１１】
実施例一
図１を参照すると、この考案において携帯式脱毛装置１００を提供する。その携帯式脱毛装置は、人体の余分な毛髪を除去することに用いられ、ケース１と光線を出射するとともに冷却の効果を奏する冷却部２２１とを含む。ユーザーは冷却部２２１を人体の皮膚表面に密着させるとき、携帯式脱毛装置１００の冷却部２２１が光線を出射することにより毛包（hair  follicle）が加熱され凝固壊死するので、毛髪を除去することができる。
【００１２】
ケース１は内部の部品を保護する役割を果たし、ケース全体の外形は、Ｕ型、Ｔ型、シャトル型、ストリップ型であることができるが、長手の円柱形であることが好ましい。
【００１３】
ケース１は把持部１３と頭部１２を含み、頭部１２はユーザーの皮膚に向かうケースの一端であり、把持部１３と前記頭部１２は平行に配置され、頭部１２と把持部１３を固定連結させるときその内部には収納空間が形成される。冷却部２２１は、前記収納空間に収納されかつ頭部１２から露出していることにより光線を出射する光源の載置部になり、ユーザーの皮膚と接触することができる。把持部１３が設けられることによりユーザーは前記携帯式脱毛装置１００を容易に把持することができる。
【００１４】
図２を参照すると、ケース１は上部ケース１０１と下部ケース１０２を含み、上部ケース１０１と下部ケース１０２はネジまたは結合構造により結合されるか或いは一体に形成されることができる。着脱を容易にするため結合構造を採用することが好ましい。
【００１５】
ケース１の収納空間の内部には脱毛デバイス２、電気回路装置３、電源装置４が設けられている。脱毛デバイス２、電気回路装置３、電源装置４は順に電気接続され、電源装置４は脱毛デバイス２に電力を供給するので、外部の電源に接続させなくても脱毛デバイス２を使用することができる。脱毛デバイス２は外部の電源、例えば、乾電池またはストレージバッテリーを直接使用することができるので、携帯式脱毛装置１００を容易に収納または携帯し、外で使用することができる。電気回路装置３は外部の電源により電源装置４を充電することと携帯式脱毛装置１００の起動停止、パワーの調節、温度の調節を制御する。
【００１６】
当業者が理解できることであるが、脱毛デバイス２、電気回路装置３、電源装置４は作動するときいずれも熱を発散する
一般の製造において、電気回路装置３の一部分の制御部品（図示せず）をケース１の表面に設けることにより携帯式脱毛装置１００のスイッチ、表示パネル、制御パネルを構成する。ユーザーはそれらを制御することにより携帯式脱毛装置１００を制御し、携帯式脱毛装置１００の起動停止とパワーを調節することができる。
【００１７】
前記脱毛デバイス２はケース１の頭部１２の一端近くに設けられ、かつケース１の収納空間内に固定結合されることができる。ケース１の一側すなわち上部ケース１０１または下部ケース１０２上には脱毛デバイス２の位置と対応する入口１１および第二出口１４が形成されている。入口１１と第二出口１４はケース１の同一側に形成されるとともに互いに隣接するように形成される。その構造によりケース１の空間を節約し、ケース１の長さを短くし、ケースの小型化を実現することができる。入口１１および第二出口１４が隣接するように形成されることにより、空気が循環する距離を短くし、空気を迅速に循環させ、放熱の効率を向上させることができる。
【００１８】
第一出口１５は、ケース１の末端すなわち頭部１２から離れているケース１の一端に形成される。第一出口１５は、ケース１の末端に形成されることにより、空気が流動する距離を増加させ、冷却の範囲を広くすることができる。
【００１９】
携帯式脱毛装置１００を製造するとき、電気回路装置３と電源装置４をケースの内部に設けるか或いは把持部１３の内部に設けることができる。本実施例において、電気回路装置３と電源装置４は脱毛デバイス２の後部に設けられる。すなわちユーザーの皮膚から離れている脱毛デバイス２の一側に設けられる。その構造により空気が流動する範囲を増加させ、ケースの内部の冷却の効果を向上させることができる。
【００２０】
図３を参照すると、脱毛デバイス２は放熱構造２１と脱毛構造２２を含む。脱毛構造２２は光線を出射することにより体毛を除去し、脱毛デバイス２とユーザーの皮膚を接触させるため放熱構造２１で温度を下げることにより、光線によるユーザーの灼熱感（Burning  sensation）を回避することができる。放熱構造２１と脱毛構造２２は結合構造またはネジにより結合されることができるが、構造の安定性を向上させるためネジを使用することが好ましい。
【００２１】
図４を参照すると、放熱構造２１はファン２１１と熱伝導モジュール２１２を含む。ファン２１１は、遠心式、軸流式、混流式、クロスフロー（cross-flow）式であることができるが、遠心式ファンを選択することができる。その場合、外部の空気は軸方向に沿ってファンのインペラに送入された後、直径の方向に流動することができる。熱伝導モジュール２１２はネジまたは結合構造によりファン２１１に結合されることができる。ファン２１１により内部に送入される空気は熱伝導モジュール２１２により所定の方向に流動することができる。脱毛構造２２はファン２１１の反対側に位置している熱伝導モジュール２１２の一面に連結される。熱伝導モジュール２１２内の空気が流動することにより脱毛構造２２を放熱させかつその温度を下げることができる。それによりユーザーの皮膚をアイシング（icing）する効果を得ることができる。
【００２２】
図１と図５を参照すると、ファン２１１の具体的な構造は下記のとおりである。
ファン２１１は空気入口２１１１と空気出口２１１２を含み、空気入口２１１１には第一ラジエーター２１１４が設けられ、前記第一ラジエーター２１１４は熱伝導部品２１１３の末端に設けられる。すなわち第一ラジエーター２１１４は空気入口２１１１の近くにある熱伝導部品２１１３の一端に設けられる。ファン２１１はファンの空気入口２１１１の一端が前記ケース１上の入口１１に向かうように設けられることにより、前記ケース１の入口１１の内部に空気を送入することができる。前記第一ラジエーター２１１４が空気入口２１１１を完全に覆うように設けられているので、第一ラジエーター２１１４により空気入口２１１１に送入される前の外部の空気に対して最初の放熱と冷却を実施することができる。熱伝導部品２１１３の一部分は第一ラジエーター２１１４に挿入され、他の部分は外部に延伸する。
【００２３】
第一ラジエーター２１１４は、鋳造ラジエーター、鋼製ラジエーター、アルミ合金ラジエーターであることができる。周知のように、第一ラジエーター２１１４は空気の対流により熱を発散させるので、ラジエーターの面積が大きければ大きいほど放熱の効果が向上する。
【００２４】
熱伝導部品２１１３は熱伝導管であることができる。熱伝導部品２１１３は、銀、銅、鉄等の金属または合金等の材料で製造されるシート構造であるか或いは管状構造であることができるが、シート構造であることが好ましい。熱伝導部品２１１３は金属の熱伝導特性を有しているので、熱伝導部品２１１３は第一ラジエーター２１１４により熱を発散させることができる。
【００２５】
実際の製造において、第一ラジエーター２１１４と熱伝導部品２１１３は通常、一体に成型される。第一ラジエーター２１１４と熱伝導部品２１１３が一体に成型されるとき、金属の熱伝導特性とファン２１１で空気を内部に送入することにより、熱伝導部品２１１３上の熱を迅速に流動させ、温度を迅速に下げることができる。
【００２６】
図６を参照すると、熱伝導モジュール２１２は第一通風口２１２１を含み、第一通風口２１２１はファン２１１に向いている熱伝導モジュール２１２の一端に設けられている。第一通風口２１２１は熱伝導モジュール２１２の端面に位置しかつ端面と平行に設けられ、外部冷却媒体は一側の第一通風口２１２１からその内部に送入された後、他側の第一通風口２１２１により反対の方向に送出される。熱伝導モジュール２１２の一側の表面には第二ラジエーター２１２３が形成され、第二ラジエーター２１２３は熱伝導モジュール２１２の上側に形成されることが好ましい。
【００２７】
図７を参照すると、脱毛構造２２は、冷却部２２１、光線出射部２２２、冷却部品２２３、皮膚検出部２２４、光線反射シート２２５、断熱シート２２６および組立モジュール（図示せず）を含む。
【００２８】
光線出射部２２２と冷却部品２２３はいずれも、電気回路装置３に電気接続され、冷却部２２１は組立モジュールに結合される。冷却部品２２３は冷却部２２１に密着することにより冷却部２２１の温度を下げる。断熱シート２２６は冷却部２２１と光線出射部２２２との間に位置することにより光線出射部２２２の熱が冷却部２２１に伝達されることを防止する。光線反射シート２２５は冷却部２２１の反対側に位置する光線出射部２２２の一側に設けられることにより光線出射部２２２が出射する光線を冷却部２２１に集める。
【００２９】
冷却部２２１の材料は結晶材質であり、例えば、サファイア（sapphire）、K９ガラス、クリスタルであることができる。透明な結晶であればいずれであってもよいが、サファイアを選択することが好ましい。
【００３０】
冷却部２２１としてサファイア材質を採用するとき、サファイアは光線透過性と特殊な波長の特性を有していることにより、冷却部２２１を光線出射口として用いることができ、フィルターと光線出射口を設ける必要がない。光線出射部２２２が光線を出射するとき、サファイアは良好な光線透過率を有していることにより、光線の透過率を向上させることができる。また、サファイアは良好な熱伝導性を有しているので、冷却部品２２３をサファイアの表面に密着させることによりサファイアと冷却部２２１との間の熱伝導を効率的に実施し、良好な冷却の効果を得ることができる。サファイアで構成される冷却部２２１の形状は円形、矩形であることができるが、それらにのみ限定されるものでない。光線出射部２２２から離れている冷却部２２１の一面はユーザーと接触するので、ユーザーと接触するその面を円弧面または平面にすることができるが、平面であることが好ましい。
【００３１】
前記光線出射部２２２は、ｉＰＬライティングチューブであり、ユーザーの皮膚と接触する箇所から離れている前記冷却部２２１の一側に取り付けられる。光線出射部２２２が出射する光線は冷却部２２１を経てユーザーの皮膚に照射される。この考案は光線出射部２２２が出射する光線のカラーを限定しない。その光線は色付きのライト、複合ライト等であることができ、その光線の波長および周波数は用途に応じて選択することができる。
【００３２】
皮膚検出部２２４は電気回路装置３に電気接続され、特に、皮膚検出部２２４はキャパシタンスタッチ検出技術により電気回路装置３に電気接続される。前記冷却部２２１が皮膚と接触するとき、その内部に設けられるキャパシタンス検出装置は冷却部が皮膚に接触されているかを検出することにより、ユーザーの操作のミスによる安全のリスクを低減することができる。
【００３３】
この考案は光線反射シート２２５の形状を限定しない。光線出射部２２２の光線を冷却部２２１の方向に集められる形状であればいずれでもよい。好ましくは、光線反射シート２２５の形状はＵ型であり、その開口は冷却部２２１に向き、光線出射部２２２は光線反射シート２２５のＵ型開口の中央に位置する。光線反射シート２２５は光線を所定の個所に集めるだけでなく、光線出射部２２２が作動とき形成される熱が他の個所に伝導されることを回避することができる。
【００３４】
図８を参照すると、光線反射シート２２５は熱伝導モジュール２１２に結合され、光線反射シート２２５の背面は第一通風口２１２１の一面に向くことにより第一通風口２１２１に１つの密閉の通路が形成される。
【００３５】
図８と図９を参照すると、ファン２１１と熱伝導モジュール２１２を連結させるとき、空気出口２１１２によりファン２１１を第一通風口２１２１に取り付ける。空気出口２１１２のサイズａは第一通風口２１２１のサイズｂより大きく、空気出口２１１２と第一通風口２１２１との間の隙間ｃにより第二通風口２１２２が形成されるので、空気は第一通風口２１２１と第二通風口２１２２により２つの方向に分流する。
【００３６】
図１１と図１２を参照すると、ファン２１１と熱伝導モジュール２１２を連結させるとき、ファン２１１上の熱伝導部品２１１３は冷却部品２２３に密着し、第一通風口２１２１はファン２１１の一側から露出することにより、ファン２１１が送入する空気を排出させる。
【００３７】
図１１と図１３を参照すると、冷却部品２２３は半導体冷却方法を採用する冷却部品２２３であることができる。前記冷却部品２２３は対向する加熱面２２３１と冷却面２２３２を含み、前記冷却部品２２３の前記冷却面２２３２は前記冷却部２２１に密着することにより前記冷却部２２１を冷却させる。
【００３８】
この考案において採用する光線脱毛技術は特殊な原理を有しているので、光線を出射するとき大量の熱が発生する。ユーザーが冷却部２２１を皮膚に接触させるとき、光線によってユーザーに灼熱感と痛感を与えることを回避するため、携帯式脱毛装置１００の本体の内部に冷却構造を設ける必要がある。いずれの冷却の方法を採用しても熱の交換をするとき熱が発生するので、前記冷却部品２２３の前記加熱面２２３１を熱伝導部品２１１３に連結させる。冷却部品２２３だけでなく、他の内部の部品、例えば、光線出射部２２２、ケース１の内部の電源装置４、電気回路装置３によっても大量の熱が発生する。
【００３９】
前記熱を迅速に排出させなければ、冷却部品２２３の冷却の効果に影響を与え、皮膚の冷却の効果にも影響を与えるおそれがあるので、冷却を効率的に実施することができず、冷却気体の温度が皮膚を麻痺させる温度まで冷却されることができない。
【００４０】
図１３、図１４および図１５を参照すると、前記空気は第一通風口２１２１と第二通風口２１２２により２つの方向に分流し、１つの方向は第一通風口２１２１による方向である。第一通風口２１２１とケース１上の第一出口１５が連通することにより空気が流動する第一通路Ａが形成される。
【００４１】
外部の空気は入口１１から吸入され、第一通風口２１２１と第二通風口２１２２に流入する空気は光線出射部２２２を通過することにより、光線出射部２２２の温度を下げる。その後、空気はケース１の内部の電源装置４、電気回路装置３を通過した後、第二出口１４によってケース１の外部に排出される。それにより空気が流動する第一通路が形成され、空気が通過する領域に対して冷却をすることができる。電気回路装置３と電源装置４は空気が通過する領域に設けられる。すなわち第一出口１５に近いケース１の内部の一側に設けられる。電気回路装置３と電源装置４に対して冷却をした空気は第一出口１５から排出される。
【００４２】
熱伝導モジュール２１２とその上端の第二ラジエーター２１２３は一体に結合され、熱伝導モジュール２１２の外表面とケース１の内壁により１つの空間が形成され、空気入口２１１１は第二通風口２１２２が取り付けられ、第二ラジエーター２１２３は第二出口１４に向くように空間内に取り付けられることにより、空気は第二出口１４に向かう方向に案内される。その場合、第二通風口２１２２とケース１上の第二出口１４により第二通路Ｂが形成される。
【００４３】
第二ラジエーター２１２３は放熱の機能のみを有しているだけでなく、空気を案内する機能も有している。第二ラジエーター２１２３は鰭のように形成されることにより内部の空気を第二出口１４側に案内することができる。その空気が第二ラジエーター２１２３を通過するとき、その空気が冷却部品２２３で流動することにより冷却部品２２３を冷却させる。その後、その空気を直接排出させる。携帯式脱毛装置１００の内部において冷却部品２２３は最大の発熱部品であるので、空気がその内部で流動する距離を短くし、冷却後の空気を直接排出させることにより最高の冷却の効果を得ることができる。
【００４４】
前記第一通路Ａと第二通路Ｂが設けられている他の実施例において、放熱の媒体としてファン２１１によって送入される空気を採用せず、外部冷却媒体、例えば、水、冷却液体等を使用することができる。２つの通路の熱を発散させる媒体であればいずれでもよい。
【００４５】
前記第一通路Ａと第二通路Ｂが設けられている他の実施例において、放熱構造２１に熱伝導部品２１１３と第一ラジエーター２１１４を設けず、ファン２１１の空気または他の冷却媒体により光線出射部２２２と冷却部品２２３を冷却させることができる。
【００４６】
第二出口１４は前記入口１１の一側に形成され、各第二出口１４は熱伝導部品２１１３の一端に近いケース１の側面に形成され、前記第一出口１５は熱伝導部品２１１３の一端から離れているケース１の尾部に形成されることにより、前記第一通路の空気はケース１の内部の全領域を通過することができる。前記入口１１の空気の流入方向と前記第二出口１４の空気の流出方向は平行であり、前記入口１１の空気の流入方向と前記第一出口１５の空気の流出方向は垂直である。
【００４７】
皮膚と接触する冷却部２２１の端面と、露出している皮膚検出部２２４の一端とは同じ側に位置する。光線の照射により皮膚の脱毛をするとき、冷却部２２１と光線が照射される皮膚の周囲が接触することにより光線が照射される皮膚の周囲を冷却させ、光線が照射されることにより皮膚に痛感を与えることを低減することができる。また、冷却部２２１で零度近くの低温を形成することにより光線出射口の付近の皮膚の温度を零度近くに冷却させ、皮膚の痛感を低減することができる。また、冷却部２２１と皮膚が接触する時間が短いので、皮膚に火傷を負わせるおそれがない。
【００４８】
第二通風口２１２２に送入される空気は第二ラジエーター２１２３の案内により熱伝導部品２１１３を通過した後第一出口１５から排出される。それにより空気が通過する第二通路が形成され、空気が通過する領域の温度を下げることができる。
【００４９】
この考案は従来の放熱構造が設けられる携帯式脱毛装置を改良して得たものである。この考案はファン２１１により外部の空気を吸入し、熱伝導モジュール２１２により空気を第一通路と第二通路に案内する。第一通路と第二通路は離れており、冷却部品２２３と光線出射部２２２は第一通路と第二通路が位置している箇所にそれぞれ取り付けられる。空気が離れている第一通路と第二通路内において流動することにより冷却部品と光線出射部をそれぞれ冷却させることができる。第一通路によりケース１の内部の他の発熱部品を冷却させることもできる。例えば、電気回路装置３と電源装置４等の発熱部品を冷却させることにより充分な放熱の効果と冷却の効果を得ることができる。
【００５０】
他の実施例において、前記実施例の前記２つの通路より多い複数の通路を形成することができる。冷却部品２２３と光線出射部２２２以外にも複数の通路を形成し、他の発熱部品を他の通路に設けることができる。そのような構造があってもこの考案の範囲に含まれることは勿論である。
【００５１】
他の実施例において、携帯式脱毛装置に発光体（図示せず）を設置するとともに前記実施例の構造の特徴を採用することができる。
【００５２】
実施例二
前記実施例の放熱の効果が充分でない問題を解決するため、この考案は第二実施例を更に提供する。第二実施例は、第一実施例の携帯式脱毛装置１００を改良して得たものであり、第一実施例の携帯式脱毛装置１００のすべての特徴を含んでいる。
【００５３】
図１６と図１７を参照すると、第二実施例に係る携帯式脱毛装置１００のケース１上には第三出口１６が形成され、第三出口１６は第一通風口２１２１の周辺に形成されることが好ましい。第三出口１６とケース１内の中空部が連通していることにより、第一通風口２１２１の外部冷却媒体はケース１の周辺の第三出口１６によって排出されることができる。
【００５４】
好ましくは、この考案のケースの上部ケース１０１と下部ケース１０２には第一凹部１６０１と第二凹部１６０２がそれぞれ形成され、第一凹部１６０１と第二凹部１６０２との間にはケース１の内部と連通している排気構造１６０３が取り付けられる。上部ケース１０１と下部ケース１０２を結合させるとき、第一凹部１６０１と第二凹部１６０２との間には隙間が形成される。排気構造１６０３を前記隙間に取り付けることによりケース１の内部の中空部と外部を連通させ、第三出口１６を形成することができる。
【００５５】
図１８と図１９を参照すると、熱伝導モジュール２１２の第二ラジエーター２１２３が形成されている位置には第三通風口２１２４が形成されている。前記第三通風口２１２４は第二ラジエーター２１２３の伝導の方向すなわち第二出口１４の方向に向き、かつ第三通風口２１２４は第一通風口２１２１と連通しているので、外部冷却媒体は第一通風口２１２１を通過した後第三通風口２１２４によって第二ラジエーター２１２３側に流動するとともに第二出口１４から排出されることができる。それにより熱の交換の速度を効率的に向上させ、脱毛デバイス２に対する冷却を効率的にすることができる。
【００５６】
第三通風口２１２４は第一通風口２１２１を貫通させる１つの手段であり、この考案は第三通風口２１２４の数量、連通させる方法を限定しない。すなわちこの考案において第四通風口、第五通風口を設けるか或いは熱伝導モジュール２１２と対応する第二ラジエーター２１２３の表面上に少なくとも３個の貫通孔を形成することにより第一通風口２１２１を貫通させることができる。第一通風口２１２１の内部で流れる外部冷却媒体を第二ラジエーター２１２３によって外部に排出させることができる構造であればいずれでもよい。
【００５７】
第一通風口２１２１と、第二通風口２１２２の第一出口、第二出口および第三出口（図示せず）と、第一通風口２１２１と、第二通風口２１２２と、第三通風口２１２４とにより冷却の効率を向上させ、ユーザーの快適性を向上させることができる。
【００５８】
前記実施例二に記載されるとおり、この実施例においてケース１上の出口と脱毛デバイス２上の通風口を主として説明してきたが、この考案は出口と通風口の数量を限定しない。例えば、第三出口１６は第一通風口２１２１を通過した外部冷却媒体をケース１の外部に排出させることに用いられ、第三通風口２１２４は第一通風口２１２１を通過した外部冷却媒体が第二ラジエーター２１２３によってケース１の外部に排出させることに用いられる。
【００５９】
この技術分野の技術者が周知のように、この考案の前記構造の構成全体または一部分のモジュールを溶接、機械的接続構造等により組み立てることができる。例えば、脱毛デバイス２中の各モジュールを移動可能に取り付けるか或いは一体に成型するか或いは着脱可能に設けることができる。また、特徴の数量を取り替え、機能をしない特徴の形状を変化させ、所定のモジュールを組み立てることにより所定の機能を奏する設備／装置を得ることができ、この考案のモジュールの代わりに前記設備／装置を使用することができれば、それらがこの考案の範囲に含まれることは勿論である。
【００６０】
従来技術と比較してみると、この考案の携帯式脱毛装置により下記考案の効果を奏することができる。ユーザーの携帯性を向上させるため家庭用携帯式脱毛装置を小さくすることができるが、大量の熱が発生するとき、放熱の問題が非常に厳しくなるおそれがある。放熱を効率的にさせることができない場合、ユーザーの皮膚に痛感を与えるか或いは安全の問題が起こるおそれがある。従来の携帯式脱毛装置には単一の入口と出口のみが形成され、放熱をさせる１つの通路が形成されている。携帯式脱毛装置の内部には複数個の発熱部品が取り付けられ、複数個の発熱部品によって形成される熱を１つの入口、出口と単一の通路により放熱させるとき、発熱部品によって形成される熱が相手に影響を与えることにより放熱の効果が不充分になり、通路内の発熱部品の作業の環境に影響を与えるおそれがある。例えば、熱を形成する冷却部品と光線出射部を通路内に取り付けるとき、外部冷却媒体が冷却部品と光線出射部のうちいずれか１つを通過することにより、その部品の熱を他の個所に伝導させることができる。この考案の携帯式脱毛装置に複数個の放熱通路が形成されているので、異なる発熱部品を異なる放熱通路に取り付け、放熱通路の１つの入口を複数の出口に対応させるか或いは複数の入口を複数の出口に対応させることができる。熱伝導モジュールが設けられているので、外部冷却媒体により携帯式脱毛装置のケースの内部の複数個の発熱部品を冷却させ、互いに干渉することを回避することができる。
【符号の説明】
【００６１】
１００      携帯式脱毛装置
１          ケース
１０１      上部ケース
１０２      下部ケース
１１        入口
１２        頭部
１３        把持部
１４        第二出口
１５        第一出口
１６        第三出口
１６０１    第一凹部
１６０２    第二凹部
１６０３    排気構造
２          脱毛デバイス
２１        放熱構造
２１１      ファン
２１１１    空気入口
２１１２    空気出口
２１１３    熱伝導部品
２１１４    第一ラジエーター
２１２      熱伝導モジュール
２１２１    第一通風口
２１２２    第二通風口
２１２３    第二ラジエーター
２１２４    第三通風口
２２        脱毛構造
２２１      冷却部
２２２      光線出射部
２２３      冷却部品
２２３１    加熱面
２２３２    冷却面
２２４      皮膚検出部
２２５      光線反射シート
２２６      断熱シート
３          電気回路装置
４          電源装置
【図１】
0003226132.tif 000003
【図２】
0003226132.tif 000004
【図３】
0003226132.tif 000005
【図４】
0003226132.tif 000006
【図５】
0003226132.tif 000007
【図６】
0003226132.tif 000008
【図７】
0003226132.tif 000009
【図８】
0003226132.tif 000010
【図９】
0003226132.tif 000011
【図１０】
0003226132.tif 000012
【図１１】
0003226132.tif 000013
【図１２】
0003226132.tif 000014
【図１３】
0003226132.tif 000015
【図１４】
0003226132.tif 000016
【図１５】
0003226132.tif 000017
【図１６】
0003226132.tif 000018
【図１７】
0003226132.tif 000019
【図１８】
0003226132.tif 000020
【図１９】
0003226132.tif 000021